(57)【特許請求の範囲】
【請求項１】
ドラバイトセラミックスの影響下にある原水中に配置した一対の電極と、該一対の電極間に印加して前記原水を変質させる電圧の変圧装置を備えた、還元水の製造装置。
【請求項２】
原水が海水で、電圧が交流電圧であることを特徴とする請求項１記載の還元水の製造装置。
【請求項３】
電源を交流電源とし該交流電源と変圧装置との間に周波数変換器を配置した、請求項１又は２記載の還元水の製造装置。
【発明の詳細な説明】
【０００１】
【産業上の利用分野】
本発明は還元水の製造装置に関するものである。すなわち、水道水、雨水、川水、井戸水或いは海水等の原水の還元電位を降下させ、所望の還元電位の還元水を得る装置に関するものである。
【０００２】
【従来の技術】
例えば、水道水を還元電位を降下させ、ｐＨ値を増加させると飲料水として好適な還元水となることは理論的に知られていることであるが、この水道水や雨水、川水、井戸水或いは海水などの水（原水）をその状態時より還元電位を降下させると、例えば、０〜−２５０ミリボルトにすると飲料水（海水の場合はともかく）に適し、また、−６００ミリボルト以下にすると殺菌抗菌水として機能し、さらに、−８００ミリボルト以下に下げると燃料水として機能することが知られているが、これまで、原水の還元電位を自在に変えられる方法は知られていず、市販されている各種の飲料水の製造方法が精々で、該方法にしても飲料水を得るためだけの方法にすぎない。
【０００３】
本発明は、飲料水や殺菌水として使用する水の還元電位を自由にコントロールできる装置を提供するために創案したものである。
【０００４】
【課題を解決するための手段】
ドラバイトセラミックスの影響下にある原水中に配置した一対の電極と、該一対の電極間に印加して前記原水を変質させる（原水の還元電位を変える）電圧の変圧装置を備えたことを基本的手段とし、原水が海水で、電圧が交流電圧にすることにより海水を無尽蔵の資源として適用できる。
【０００５】
【実施例】
図１は本発明を適用した一装置例の略示説明図を示し、図中、１は操作タンクで、操作タンク１には雨水、水道水、川水、井戸水或いは海水などの、還元水を得るための原水２を収容し、該原水は操作タンク１に適量収容したドラバイトセラミックス３の影響下におかれるようにしてある。
【０００６】
なお、ドラバイトセラミックスはマグネシウムを含む電気石を１２５０度で焼成したセラミックで、水に接触させると水のイオン化を促進し、還元電位が下がることが知られている触媒であるが、「ドラバイトセラミックスの影響下におかれる」とは、原水がこの触媒作用を受ける状態にあることを意味し、従って、ドラバイトセラミックスが粉末状の場合は、影響下におかれるまでの時間の経過を必要とせず、図示のように、水（原水）底に当該ドラバイトセラミックスがある必要はないし、ドラバイトセラミックスに接触させた原水を図示の操作タンク１に移し換えた場合も含まれるのである。
【０００７】
前記原水２中には一対の電極４，４´を配置し、電極４，４´は切替スイッチ５の切替により交流電源６からの交流電圧（通常１００ボルト）を整流器７を介して直流電圧も印加できるようになっており、前記切替スイッチ５は変圧器８および周波数変換器９を介して前記交流電源６に接続してある。
【０００８】
また、前記原水２中には、酸化還元電位計１０のセンサー１０ａが配置され、電極４，４´間に印加された電圧による原水の還元電位の変化を検出して、その検出量が電位計１０に現われるようにしてある。
【０００９】
なお、切替スイッチ５は、交流電圧と直流電圧を選択的に電極４，４´間に印加させるための装置で、電源６からの交流電圧は、この切替スイッチ５を通して整流器７で整流されて電極４，４´間に直流電圧となって現われる。
【００１０】
変圧器８は、前記電極４，４´間の印加電圧を上下させるもので、この印加電圧値を適宜選択することにより後記する還元電位を備え、用途に適合した種々の還元水を得られることになる。
【００１１】
また、周波数変換器９は、電源６からの交流周波数を通常では−９００ミリボルト以下に下がらない還元電位を更に低く（変化させる）させる装置で、この装置と変圧器８とを必要に応じて併用することによりより低い還元電位の還元水を得られる（−１００８ミリボルトという還元電位の還元水が得られた）。
【００１２】
そして、操作タンク１内で得られた還元水（製品）は、当該還元水に適合した用い方をするようにしてあり、図示１１はポンプ、１１ａはそのノズルである。例えば、ノズルは飲料水の蛇口や魚処理場の洗浄用のノズル等目的に合わせて用いられる。
【００１３】
上記装置において、操作タンク１に水道水１０リットルとドラバイトセラミックス３キログラムを収容して（水とドラバイトセラミックスの重量比をほぼ３：１にして）、交流電源６（１００ボルト・６０サイクル）の電圧を変圧器８で１２ボルトに降下して電極４，４´間に交流電圧を印加したところ、操作タンク１内の原水は還元電位が１５分以内に−２５０ミリボルトに変質した還元水となり、かつ、該還元水はｐＨ値が７〜８で、アルカリイオン水としても理想的な飲料水であることが判明した。また、操作タンク１の原水２およびドラバイトセラミックス３を同条件下にして、切替スイッチ５を切替えて、前記交流電源６の電圧を変圧器８で１２ボルトに低下して、電極４，４´間に直流電圧を印加したところ、交流電圧の場合と同様、１５分以内に還元電圧が−２５０ミリボルト、ｐＨ値が７〜８の還元水を得られた。
【００１４】
そして、同様にして、前記電極４，４´間に３０ボルトの電圧をかけたところ、直流の場合も交流の場合も５分以内に−６００ミリボルトの還元電位の水を得られ、この還元水は腸炎ビブリオ菌やサルモネラ菌他一般細菌が１分間で死滅することが証明された。
【００１５】
また、試みに、水道水を海水に代え、該海水とドラバイトセラミックスの重量比を前記の場合と同様にほぼ３：１にして３０ボルトの直流電圧をかけたところ、電圧は９ボルトに下がり、多量の沈殿物が生じ、還元電位は１分以内に−６００ミリボルトに達したが、沈殿物を濾過する装置を追加する必要があった。そこで、同条件下で３０ボルトの交流電圧をかけたところ、沈殿物が生ずることなく還元電位が１分以内に−６００ミリボルト以下になり、海水を還元殺菌水として利用できることが判明した。これは、直流の場合には、陰極に陽イオンが付着し電子を得て折出するから、特定の物質が沈殿するに対し、交流の場合は電極間の電位差が常時交替するから物質が沈殿しない結果と思われる。
【００１６】
さらに、前記装置において、水道水とドラバイトセラミックスの重量比を２：１（水道水２リットルにセラミックス１キログラム）にして、３０〜５０ボルトの電圧をかけたところ、−８００〜−９００ミリボルトの還元電位の水を作ることができ、この場合、電気の周波数を徐々に低くしていくことにより還元電位が下がり、２０分で−１００８ミリボルト（５〜８サイクルのとき）に下げることができた。
【００１７】
図面１に示したような装置で、還元電位の異なる様々な還元水が自由に製造することができ、タンク内に１分以上水が滞留することが条件で、毎時１０トン以上の海水還元殺菌水を製造するように設計できるものと思われる。
【００１８】
なお、実施例は、交流電源から交流電圧とこれを整流して直流電圧を選択的に用いるようにしたが、整流器は省略しても良いし、直流電源のみを用いるようにしても良く、この場合、電池又はバッテリの数を増減することによって電圧を変えられ、「請求項」でいう「変圧装置」とはこのような場合も含み、実施例の場合は、交流電源６を利用するものであるから、変圧器８は勿論、切替スイッチ５および整流器７を利用してはじめて直流電圧を変圧でき、「変圧装置」とは、要は、電極４，４´間の印加電圧を変えるために必要な装置を意味する。
【００１９】
【発明の効果】
本発明は前記の通りの構成であるから、印加電圧を変えることにより様々な還元水を得られ、様々な分野に適用できる汎用性の有る、還元水の製造器を提供できる。
【図面の簡単な説明】
【図１】略示説明図。
【符号の説明】
２        原水
３        ドラバイトセラミックス
４，４´  電極
【図１】
0003742769.tif 000002